(57)【要約】【課題】  メモリカードスロットの誤挿入防止装置の提供。【解決手段】  メモリカードスロットの誤挿入防止装置は爪状構造体であり、枢設用の軸部を具え、該軸部の周囲に少なくともＡ爪、Ｂ爪、Ｃ爪が設けられ、本装置がメモリカードスロットの一側に枢設され、一種類のメモリカードの挿入のみに供され、既にメモリカードが挿入されたメモリカードスロットに異なるメモリカードをメモリカードスロットに更に挿入しようとしても、回転して起こされたＡ爪或いはＢ爪或いはＣ爪の阻止を受け、これにより他のメモリカードの更なる挿入を防止する。【選択図】        図１
0003105109.tif 000002
【実用新案登録請求の範囲】
【請求項１】
メモリカードスロットの誤挿入防止装置において、該誤挿入防止装置は爪状構造体であり、それは枢設用の軸部を具え、軸部の周囲に少なくともＡ爪、Ｂ爪、Ｃ爪が設けられ、該Ａ爪は軸部の一側より突出し、Ｂ爪は軸部周囲の別の部分より突出し、且つＡ爪との間の角度は８０度から１００度の間であり、Ｃ爪は「く」形構造であり、前端の平直部がＡ爪と一直線を呈し、後端の折り曲げ部がＡ爪との間に１１０から１３０度の間の夾角を形成し、該誤挿入防止装置はメモリカードスロット内の一側に枢設され、Ａ爪及びＣ爪の平直部は一直線を呈してメモリカードスロット内側壁に近接し、異なるメモリカードがカードスロットに挿入される時、Ａ爪或いはＢ爪或いはＣ爪が起き上がり、その他のメモリカードの再挿入を阻止することを特徴とする、メモリカードスロットの誤挿入防止装置。
【請求項２】
請求項１記載のメモリカードスロットの誤挿入防止装置において、Ｂ爪とＡ爪の間の角度が９０度とされたことを特徴とする、メモリカードスロットの誤挿入防止装置。
【請求項３】
請求項１記載のメモリカードスロットの誤挿入防止装置において、Ｂ爪が軸部にあってＡ爪と異なる高さに位置することを特徴とする、メモリカードスロットの誤挿入防止装置。
【請求項４】
請求項３記載のメモリカードスロットの誤挿入防止装置において、Ａ爪とＢ爪がそれぞれ軸部の上、下端に位置することを特徴とする、メモリカードスロットの誤挿入防止装置。
【請求項５】
請求項１記載のメモリカードスロットの誤挿入防止装置において、Ｃ爪の折り曲げ部とＡ爪間の角度が１２０度とされたことを特徴とする、メモリカードスロットの誤挿入防止装置。
【請求項６】
請求項１記載のメモリカードスロットの誤挿入防止装置において、Ｃ爪の「く」形構造の折り曲げ部末端より下向きに凸部が延伸されたことを特徴とする、メモリカードスロットの誤挿入防止装置。
【請求項７】
請求項１記載のメモリカードスロットの誤挿入防止装置において、Ａ爪が棒状体とされたことを特徴とする、メモリカードスロットの誤挿入防止装置。
【考案の詳細な説明】
【技術分野】
【０００１】
本考案は一種のメモリカードスロットの誤挿入防止装置に係り、特に特別な爪状構造体であり、本装置がメモリカードスロットの一側に枢設された時、一種類のメモリカードの挿入のみ許可し、異なるメモリカードを更に挿入しようとしても、回転し起き上がったＡ爪、Ｂ爪、Ｃ爪の阻止を受けるため挿入できず、これによりメモリカードの使用或いは挿入を正確に行なえるようにする、メモリカードスロットの誤挿入防止装置に関する。
【背景技術】
【０００２】
現代生活中の携帯型電子装置、例えばデジタルカメラ、ノートブック型コンピュータ或いはＰＤＡ等のほとんどはメモリカードスロットを配備し、実用性が高められている。しかし、メモリカードには多くの種類があり、現在市販され比較的普及しているものに、ＭＳカード６１、ＳＭカード６２、ＳＤカード６３、ＸＤカード６０、ＭＭＣカード６４の五種類がある。これら五種類のメモリカードのサイズ、厚さはそれぞれに異なる。このためこのような製品に詳しくない使用者は、既にメモリカードを挿入したメモリカードスロットに、異なる型式のメモリカードを挿入しようとし、時には無理やり挿入し、メモリカード間或いはメモリカードとカードスロット間の摩擦、損壊を形成することがあり、使用者にとって不便であり、これがこのような製品を使用する際の欠点である。
【考案の開示】
【考案が解決しようとする課題】
【０００３】
本考案の主要な目的は、一種のメモリカードスロットの誤挿入防止装置を提供することにあり、それは、異なるメモリカードがスロット中に挿入される時、挿入不能とし、これにより暗いところで使用したりこのような製品に詳しくない消費者が使用する場合も、速やかに正確にメモリカードの挿入或いは抜き取りが行なえ、使用上、便利であるものとする。
【課題を解決するための手段】
【０００４】
請求項１の考案は、メモリカードスロットの誤挿入防止装置において、該誤挿入防止装置は爪状構造体であり、それは枢設用の軸部を具え、軸部の周囲に少なくともＡ爪、Ｂ爪、Ｃ爪が設けられ、該Ａ爪は軸部の一側より突出し、Ｂ爪は軸部周囲の別の部分より突出し、且つＡ爪との間の角度は８０度から１００度の間であり、Ｃ爪は「く」形構造であり、前端の平直部がＡ爪と一直線を呈し、後端の折り曲げ部がＡ爪との間に１１０から１３０度の間の夾角を形成し、該誤挿入防止装置はメモリカードスロット内の一側に枢設され、Ａ爪及びＣ爪の平直部は一直線を呈してメモリカードスロット内側壁に近接し、異なるメモリカードがカードスロットに挿入される時、Ａ爪或いはＢ爪或いはＣ爪が起き上がり、その他のメモリカードの再挿入を阻止することを特徴とする、メモリカードスロットの誤挿入防止装置としている。
請求項２の考案は、請求項１記載のメモリカードスロットの誤挿入防止装置において、Ｂ爪とＡ爪の間の角度が９０度とされたことを特徴とする、メモリカードスロットの誤挿入防止装置としている。
請求項３の考案は、請求項１記載のメモリカードスロットの誤挿入防止装置において、Ｂ爪が軸部にあってＡ爪と異なる高さに位置することを特徴とする、メモリカードスロットの誤挿入防止装置としている。
請求項４の考案は、請求項３記載のメモリカードスロットの誤挿入防止装置において、Ａ爪とＢ爪がそれぞれ軸部の上、下端に位置することを特徴とする、メモリカードスロットの誤挿入防止装置としている。
請求項５の考案は、請求項１記載のメモリカードスロットの誤挿入防止装置において、Ｃ爪の折り曲げ部とＡ爪間の角度が１２０度とされたことを特徴とする、メモリカードスロットの誤挿入防止装置としている。
請求項６の考案は、請求項１記載のメモリカードスロットの誤挿入防止装置において、Ｃ爪の「く」形構造の折り曲げ部末端より下向きに凸部が延伸されたことを特徴とする、メモリカードスロットの誤挿入防止装置としている。
請求項７の考案は、請求項１記載のメモリカードスロットの誤挿入防止装置において、Ａ爪が棒状体とされたことを特徴とする、メモリカードスロットの誤挿入防止装置としている。
【考案の効果】
【０００５】
本考案のメモリカードスロットの誤挿入防止装置は、単一のメモリカードの使用のみ可能とし、並びにその他のメモリカードのメモリカードスロットへの再挿入を防止する。このような誤挿入防止の装置は、有効に不当な操作により形成される損失を減らすことができ、使用上便利であり、且つメモリカードとメモリカードスロットの破壊を防止する。
【０００６】
本考案の上述の使用に便利な誤挿入防止装置により誤動作と部品損傷を減らすことができる。
【考案を実施するための最良の形態】
【０００７】
本考案のメモリカードスロットの誤挿入防止装置は爪状構造であり、それは枢設用の軸部を具え、軸部の周囲に少なくともＡ爪、Ｂ爪、Ｃ爪が設けられている。該Ａ爪は軸部の一側より突出し、Ｂ爪は軸部周囲の別の部分より突出し、且つＡ爪との間の角度は８０度から１００度の間とされる。Ｃ爪は「く」形構造であり、前端の平直部がＡ爪と一直線を呈し、後端の折り曲げ部がＡ爪との間に１１０から１３０度の間の夾角を形成する。本考案はメモリカードスロット内の一側に枢設され、Ａ爪及びＣ爪の平直部は一直線を呈してメモリカードスロット内側壁に近接し、異なるメモリカードがカードスロットに挿入される時、Ａ爪或いはＢ爪或いはＣ爪が起き上がり、その他のメモリカードの再挿入を阻止し、有効に誤動作が形成する部品損壊を防止する。
【実施例１】
【０００８】
図１、２に示されるように、本考案は爪状構造体であり、固定のための軸部１０を具え、該軸部１０は枢設孔１１を具えた柱状体であり、該軸部１０の周囲にＡ爪２０、Ｂ爪３０及びＣ爪４０が形成されている。そのうち、Ａ爪２０は軸部１０の上端の一側より突出する棒状体であり、Ｂ爪３０は軸部１０の周囲の一カ所より突出し、且つＢ爪は軸部１０にあってＡ爪２０と異なる高さに位置し、最も好ましい実施例では、Ｂ爪３０は軸部１０の下端位置より突出する。平面視によると、Ｂ爪３０とＡ爪２０の間の角度θ２は９０度を呈するか、或いは前後の各位相差が１０度以内（即ち８０〜９０度の間）とされる。
【０００９】
該Ｃ爪４０は「く」形構造であり、前端の平直部４１はＡ爪２０と一直線を呈し、後端の折り曲げ部４２は最も好ましくはＡ爪との間の角度θ１が１２０度であるものとされるか、或いは前後それぞれの位相差が１０度以内（即ち１１０〜１３０度の間）とされる。
【００１０】
図３、１に示されるように、本考案はメモリカードスロット５０内の一側に設けられ、軸部１０の枢設孔１１がメモリカードスロット５０内の支持軸５１に嵌合されて枢設され、該Ａ爪２０及びＣ爪４０の平直部４１は一直線を呈してメモリカードスロット５０の内側壁に位置し、ＭＳカード６１がメモリカードスロット５０に挿入される時、Ｃ爪４０の折り曲げ部４２は平らにメモリカードスロット５０の内壁に当接し、Ａ爪２０が約５８度回転後に起き上がり、ＸＤ、ＳＤ及びＭＭＣカード６０、６３、６４の挿入を阻止する。
【００１１】
図４に示されるように、ＸＤカード６０がメモリカードスロット５０に挿入された時、Ａ爪２０は約３１度回転し、Ｂ爪は下方より起き上がり、ＭＳ及びＳＭカード６１、６２の挿入を防止する。
【００１２】
図５に示されるように、ＳＭカード６２がメモリカードスロット５０に挿入された時、Ｃ爪４０の折り曲げ部４２が押されてメモリカードスロット５０内壁に平らに当接してＡ爪２０が約６０度回転して起き上がり、ＸＤ、ＳＤ或いはＭＭＣカード６０、６３、６４のメモリカードスロット５０への挿入を防止する。
【００１３】
図６に示されるように、ＳＤカード６３がメモリカードスロット５０に挿入された時、Ａ爪２０は約３１度回転し、Ｂ爪３０が下から起き上がり、ＭＳ及びＳＭカード６１、６２の挿入を防止する。
【００１４】
図７に示されるように、ＭＭＣカード６４がメモリカードスロット５０に挿入された時、Ａ爪２０は約３１度回転し、Ｂ爪３０が下から起き上がり、ＭＳ及びＳＭカード６１、６２の挿入を防止する。
【図面の簡単な説明】
【００１５】
【図１】本考案の立体構造図である。
【図２】本考案の平面構造図である。
【図３】本考案をＭＳカードに適用した時の実施例表示図である。
【図４】本考案をＸＤカードに適用した時の実施例表示図である。
【図５】本考案をＳＭカードに適用した時の実施例表示図である。
【図６】本考案をＳＤカードに適用した時の実施例表示図である。
【図７】本考案をＭＭＣカードに適用した時の実施例表示図である。
【図８】周知のＭＳ、ＸＤ、ＳＤ、ＳＭ、ＭＭＣカードの構造表示平面図である。
【符号の説明】
【００１６】
１０  軸部                        １１  枢設孔
２０  Ａ爪                        ３０  Ｂ爪
４０  Ｃ爪                        ４１  平直部
４２  折り曲げ部                  ５０  メモリカードスロット
５１  支持軸                      ６０  ＸＤカード
６１  ＭＳカード                  ６２  ＳＭカード
６３  ＳＤカード                  ６４  ＭＭＣカード
θ１、θ２  角度
【図１】
0003105109.tif 000003
【図２】
0003105109.tif 000004
【図３】
0003105109.tif 000005
【図４】
0003105109.tif 000006
【図５】
0003105109.tif 000007
【図６】
0003105109.tif 000008
【図７】
0003105109.tif 000009
【図８】
0003105109.tif 000010